【事件の表示】
　平成９年特許願第７９１７５号「住居構造」拒絶査定不服審判事件〔平成１０年９月２２日出願公開、特開平１０−２５２２８７〕について、次のとおり審決する。
【結　論】
　本件審判の請求は、成り立たない。
【理　由】
１．手続の経緯
　本願は、平成９年３月１４日の出願であって、平成１８年１１月９日付けで拒絶査定がされ、これに対し、平成１９年１月１０日に拒絶査定不服審判の請求がなされるとともに、同年２月７日付けで手続補正がなされたものである。
　これに対し、当審にて、平成２０年７月１０日付けで審査官による前置報告書に基づいて審尋したところ、請求人からは応答がなされなかったものである。
　
２．平成１９年２月７日付けの手続補正についての補正の却下の決定
　
［補正の却下の決定の結論］
　平成１９年２月７日付けの手続補正（以下、「本件補正」という。）を却下する。
　
［理由］
（１）補正後の本願発明
　本件補正により、明細書の特許請求の範囲は以下のように補正された。
　
「【請求項１】
　共用スペースとプライベートスペースとを並列位置関係に配設し、
　上記共用スペースは、直列に配置してある玄関スペースと台所スペースとリビングルームスペースとを含み、
　上記プライベートスペースは３つの個室とユーティリティスペースとを含み、
　上記３つの個室のうち２つは、上記共用スペースに隣接し、
　上記ユーティリティスペースは通路部を挟んで対向する洗面台と浴室とを含むものであって、
　上記通路部は、上記玄関スペースと台所スペースとリビングルームスペースとの配列方向に平行であり、
　上記各個室から扉を開閉し上記通路部に直接出入り可能であって、
　上記２つの個室と共用スペースとは、摺動可能なウォールドアによって仕切られている
　ことを特徴とする住居構造。
　【請求項２】〜【請求項３】（記載を省略する。）」
　　
　上記補正は、補正前の請求項１を引用する請求項３に係る発明を特定するために必要な事項である「複数」としていた「個室」の数を「３つ」とする限定を付加し、「通路部は、玄関スペースと台所スペースとリビングルームスペースとの配列方向に平行」であるとの限定を付加するものであって、この補正は特許法第１７条の２第４項第２号の特許請求の範囲の減縮を目的とするものに該当する。　 
　
　そこで、本件補正後の上記請求項１に係る発明（以下、「本願補正発明」という。）が特許出願の際独立して特許を受けることができるものであるか（平成１８年改正前特許法第１７条の２第５項の規定において準用する同法第１２６条第５項の規定に適合するか）について、以下に検討する。
　
（２）刊行物に記載された発明
　原査定の拒絶の理由に引用され、本願出願前に頒布された刊行物である特開平７−２４７７０３号公報（以下、「引用文献」という。）には、「集合住宅」に関して、図面とともに以下の記載がある。
　
（ア）「【０００１】
【産業上の利用分野】本発明は、マンション等の集合住宅に関するものである。」
　
（イ）「【０００７】
【課題を解決するための手段】上記の目的を達成するために、本発明が講じた技術的手段は、次のとおりである。即ち、本発明による集合住宅は、玄関ホールに近接してパブリックゾーンが配置され、玄関ホールの奥側にプライベートゾーンが配置され、プライベートゾーンには、玄関ホールから往来することが可能で且つプライベートゾーンの各々の居室へ連絡する廊下と、廊下の奥側に位置する浴室、洗面室、トイレ等の水回り設備が配置されている点に特徴がある。尚、パブリックゾーンは、玄関ホールの左右何れかの側だけに配置してもよく、玄関ホールを挟んで左右両側に配置してもよい。
【０００８】
【作用】上記の構成によれば、パブリックゾーン（例えば、リビングルーム、ダイニングキッチン、リビング・ダイニングルーム等である。）を玄関ホールに近接して配置しているので、プライベートゾーンを通らずに、玄関ホールからパブリックゾーンに行き来することができる。
【０００９】プライベートゾーンであるところの寝室等の居室が奥側にあり、プライベートゾーンには、玄関ホールから行き来することが可能でかつ各々の居室にわたる廊下と、廊下の奥側に位置する浴室、洗面室、トイレ等の水回り設備とがあるので、来客時、パブリックゾーンに案内されている客や、プライベートゾーンの居室に居る他の家族（客の相手をしていない家族の者）が、浴室、洗面室、トイレ等の水回り設備を使用する際、廊下を通ることにより、互いに目を合わさずに、水回り設備に行き来することができる。
【００１０】また、家族が一同に会するリビングルームやダイニングキッチン、或いはリビング・ダイニングルームが、プライベートゾーンである寝室等の居室よりも玄関近くにあるので、家族間のコミュニケーションもとり易くなる。」
　
（ウ）「【００１５】図３において、７は玄関ホールで、この玄関ホール７の左右方向の片側には、パブリックゾーンであるところのリビング・ダイニングルーム９１１が玄関ホール７に近接して配置されている。リビング・ダイニングルーム９１１は、玄関ホール７の左右何れの側に配置してもよいが、図示の実施例では、玄関ホール７の左側（バルコニー８側）に配置されている。玄関ホール７からリビング・ダイニングルーム９１１への出入口には、スイング式の扉１４が設けられている。１０はリビング・ダイニングルーム９１１の出入口側の片隅に設けられたキッチン用の水回り設備を示す。
【００１６】玄関ホール７を挟んでリビング・ダイニングルーム９１１とは反対側には、プライベートゾーンであるところの第１の寝室１１５が配置され、更に、これらリビング・ダイニングルーム９１１及び第１の寝室１１５の奥側には、プライベートゾーンであるところの第２及び第３の寝室１５，１７が、間仕切り壁１６，１８を挟んで配置され、プライベートゾーンの中央部には、玄関ホール７から行き来することが可能でかつ左右に位置する第２，第３の寝室１５，１７と第１の寝室１１５とにわたる廊下１９と、廊下１９の奥側に位置する浴室２０、トイレ２１、洗面室２２等の水回り設備とが配置されている
【００１７】２３はリビング・ダイニングルーム９１１側の通路１３と廊下１９との間の仕切り壁ａに設けたスライド式の扉、２４は廊下１９から第２の寝室１５に出入りするためのスイング式の扉、２５は廊下１９から第３の寝室１７に出入りするためのスイング式の扉、２５ａは廊下１９から第１の寝室１１５に出入りするためのスイング式の扉である。ｂは妻側の外壁に設けた窓である。
【００１８】尚、プライベートゾーンであるところの第１，第２，第３の寝室１１５，１５，１７は、和室、洋室を問わない。また、これらの寝室１１５，１５，１７を、子供部屋、書斎等、他のプライベートな用途の居室としてもよい。
【００１９】上記の間取り構成によれば、パブリックゾーンであるところのリビング・ダイニングルーム９１１が玄関ホール７の左右方向の片側に玄関ホール７と近接して配置されているので、プライベートゾーンを通らずに、玄関ホール７からリビング・ダイニングルーム９１１に行き来することができ、プライバシーの確保が容易である。
【００２０】また、来客時には、客を玄関ホール７の直ぐ近くにあるリビング・ダイニングルーム９１１まで案内するだけであり、奥まで案内しないで済むため、来客への対応に便利である。
【００２１】プライベートゾーンであるところの第１の寝室１１５が玄関ホール７を挟んでパブリックゾーンと反対側にあり、第２，第３の寝室１５，１７が奥側にあり、プライベートゾーンの中央部に、玄関ホール７から行き来することが可能でかつ左右の寝室１５，１７，１１５にわたる廊下１９と、廊下１９の奥側に位置する浴室２０、トイレ２１、洗面室２２等の水回り設備とがあるので、来客時、リビング・ダイニングルーム９１１に案内されている客や、プライベートゾーンの寝室１５，１７，１１５等の居室に居る他の家族（客の相手をしていない家族の者）が、浴室２０、トイレ２１、洗面室２２等の水回り設備を使用する際、廊下１９を通ることにより、互いに目を合わさずに、水回り設備に行き来することができる。
【００２２】従って、客に余分な気遣いをさせずに浴室２０、トイレ２１、洗面室２２等の水回り設備を使用してもらうことができ、家族も、客の目を気にせずに、浴室２０、トイレ２１、洗面室２２等の水回り設備を使用することができる。
【００２３】また、家族が一同に会するリビング・ダイニングルーム９１１が、プライベートゾーンである寝室１５，１７，１１５等の居室よりも玄関６近くにあるので、家族間のコミュニケーションもとり易くなる。」
　
（エ）上記（ウ）によると、【図３】には、パブリックゾーンであるところのリビング・ダイニングルーム９１１の出入口側の片隅にキッチン用の水回り設備１０が設けられ、リビング・ダイニングルーム９１１の出入口側が台所スペースとして利用される住居構造が記載されている。
　
（オ）上記（ウ），（エ）によると、【図３】には、玄関ホール７と、台所スペースと、リビング・ダイニングルーム９１１の台所スペース以外のスペースが直列に配置された住居構造が記載されている。
　
（カ）上記（ウ）によると、【図３】には、寝室１５はリビング・ダイニングルーム９１１に隣接し、寝室１５とリビング・ダイニングルーム９１１とは間仕切り壁１６によって仕切られており、寝室１１５は玄関ホール７に隣接し、寝室１１５と玄関ホール７とは壁によって仕切られている住居構造が記載されている。
　
（キ）上記（ウ）によると、その水回り設備には、通路と洗面台とからなる洗面室２２と、浴室２０が記載されていることから、【図３】には、通路を挟んで対向する洗面台と浴室２０が設けられた住居構造が記載されている。
　
（ク）上記（ウ），（キ）によると、【図３】には、プライベートゾーンの中央部に、左右の３つの寝室１５，１７，１１５に扉２４，２５，２５ａを開閉し直接出入り可能である廊下１９と、廊下１９に連続する通路を挟んで対向する洗面台と浴室２０とが設けられた水回り設備が配置された住居構造が記載されている。
　
　これら記載事項および図面からみて、引用文献には、次の発明（以下、「引用発明」という。）が記載されているものと認められる。
　
（引用発明）
「パブリックゾーンを玄関ホールに近接して配置し、
　パブリックゾーンであるところのリビング・ダイニングルーム９１１の出入口側の片隅にキッチン用の水回り設備１０が設けられ、リビング・ダイニングルーム９１１の出入口側が台所スペースとして利用され、
　玄関ホール７と、台所スペースと、リビング・ダイニングルーム９１１の台所スペース以外のスペースが直列に配置され、
　プライベートゾーンであるところの３つの寝室１５，１７，１１５と、プライベートゾーンの中央部に廊下１９と、浴室２０，トイレ２１，洗面室２２等の水回り設備とが配置され、
　寝室１５はリビング・ダイニングルーム９１１に隣接し、寝室１１５は玄関ホール７に隣接し、
　水回り設備には、廊下１９に連続する通路を挟んで対向する洗面台と浴室２０とが設けられ、
　左右の３つの寝室１５，１７，１１５から扉２４，２５，２５ａを開閉し、通路を挟んで対向する洗面台と浴室２０に連続する廊下１９に直接出入り可能であって、
　寝室１５とリビング・ダイニングルーム９１１とは、間仕切り壁１６によって仕切られており、寝室１１５と玄関ホール７とは壁によって仕切られている住居構造。」
　　　
（３）対比
　本願補正発明と引用発明とを比較すると、引用発明の「玄関ホール」、「リビング・ダイニングルーム９１１の台所スペース以外のスペース」、「寝室」は、本願補正発明の「玄関スペース」、「リビングルームスペース」、「個室」に、それぞれ相当する。
　そして、引用発明の「玄関ホール７と、台所スペースと、リビング・ダイニングルーム９１１の台所スペース以外のスペースが直列に配置され」るスペースが、全体として、本願補正発明の「共用スペース」に相当する。さらに、引用発明の「廊下１９と、浴室２０，トイレ２１，洗面室２２等の水回り設備」のスペースが、本願補正発明の「ユーティリティスペース」に相当し、同じく、引用発明の「３つの寝室１５，１７，１１５」および「廊下１９と、浴室２０，トイレ２１，洗面室２２等の水回り設備」のスペースが、全体として、本願補正発明の「プライベートスペース」に相当する。
　
　また、引用発明の「廊下１９」と「廊下１９に連続する通路」からなる横倒しＴ字状の通路体と、本願補正発明の「通路部」とは、「対向する洗面台と浴室」に挟まれた通路体、および「各個室から扉を開閉し直接出入り可能」である通路体で共通するといえる。
　さらに、引用発明の「寝室１５とリビング・ダイニングルーム９１１とは、間仕切り壁１６によって仕切られており、寝室１１５と玄関ホール７とは壁によって仕切られている」と、本願補正発明の「２つの個室と共用スペースとは、摺動可能なウォールドアによって仕切られている」とは、「２つの個室と共用スペースとは、仕切り体によって仕切られている」ことで共通する。
　
　そうすると、引用発明と本願補正発明とは、
「共用スペースとプライベートスペースとを有し、
　上記共用スペースは、直列に配置してある玄関スペースと台所スペースとリビングルームスペースとを含み、
　上記プライベートスペースは３つの個室とユーティリティスペースとを含み、
　上記３つの個室のうち２つは、上記共用スペースに隣接し、
　上記ユーティリティスペースは通路体を挟んで対向する洗面台と浴室とを含むものであって、
　上記各個室から扉を開閉し上記通路体に直接出入り可能であって、
　上記２つの個室と共用スペースとは、仕切り体によって仕切られている住居構造。」
である点で一致し、以下の点で相違している。
　
［相違点１］
　共用スペースとプライベートスペースとが配設される位置関係について、本願補正発明では、並列位置関係であるのに対し、引用発明では、そのような位置関係であるか不明な点。
　
［相違点２］
　通路体について、本願補正発明では、各個室から扉を開閉し直接出入り可能であり、かつ、対向する洗面台と浴室に挟まれるとともに、玄関スペースと台所スペースとリビングルームスペースとの配列方向に平行に配設される通路部であるのに対し、引用発明では、廊下１９が各個室から扉を開閉し直接出入り可能であり、廊下１９に連続する通路を挟んで対向する洗面台と浴室を有する通路体であるものの、廊下１９と、廊下１９に連続する通路とから形成される横倒しＴ字状であって、廊下１９は、玄関スペースと台所スペースとリビングルームスペースとの配列方向に平行であるが、廊下１９に連続する通路は直角方向である点。
　
［相違点３］
　２つの個室と共用スペースとを仕切る仕切り体について、本願補正発明では、摺動可能なウォールドアによって仕切るのに対し、引用発明では間仕切り壁や壁によって仕切る点。
　
（４）当審の判断
　前記相違点について検討する。
　
［相違点１］について
　請求項１の記載からは、本願補正発明の「並列位置関係に配設」とはどのような位置関係を示すものであるのか明確に理解できず、さらに、発明の詳細な説明を参照してもそれについて明らかであるとはいえない。
　
ａ）しかし、審判請求書の請求の理由を補正する平成１９年２月７日付け手続補正書の「２．本願請求項に係る発明と引用文献に記載の発明等との対比（１）請求項１に係る発明との対比」欄に、
「ト．すなわち「共用スペースに個人行為を持ち込むことをなくす」ためには、上述した構成要件Ａ「共用スペースとプライベートスペースとを並列位置関係に配設する」して両者を分離することが、極めて効果的です。」と記載されていることからすると、上記「並列位置関係に配設」するとは、共用スペースまたはプライベートスペースに属する各室、設備のそれぞれを１つのまとまりとするとともに、共用スペースとプライベートスペースとを分離して配設して、それら２つのまとまりを並べた位置関係に配設することを示していると解することができる。
　一方、引用文献の【図３】には、引用発明における「玄関ホール７と、台所スペースと、リビング・ダイニングルーム９１１の台所スペース以外のスペース」とからなる共用スペースと、「３つの寝室１５，１７，１１５」と、「廊下１９と、浴室２０，トイレ２１，洗面室２２等の水回り設備」とからなるプライベートスペースとは、それぞれ１つのまとまりとされるとともに、それぞれ分離して配設して、全体としてそれら２つのまとまりを並べた位置関係に配設した住居構造が示されている。そして、引用発明においても、共用スペースとプライベートスペースとを分離して配設して、それら２つのまとまりを並べて配設することにより、「来客時、リビング・ダイニングルーム９１１に案内されている客や、プライベートゾーンの寝室１５，１７，１１５等の居室に居る他の家族（客の相手をしていない家族の者）が、浴室２０、トイレ２１、洗面室２２等の水回り設備を使用する際、廊下１９を通ることにより、互いに目を合わさずに、水回り設備に行き来することができる。」（上記記載事項（ウ）【００２１】）との作用効果が得られることがわかる。
　してみると、引用発明と本願補正発明とは、この点において構成および作用効果に相違はなく、当該［相違点１］に係る本願補正発明の構成は、実質的な相違点とはいえない。
　
ｂ）また、仮に、上記「並列位置関係に配設」とは、本願補正発明の実施の態様として【図１】に示されているように、共用スペースとプライベートスペースとを横に並べて２列とした位置関係に配設したものであるとしても、住居構造における各室、設備の配置において、共用スペースとプライベートスペースとを横に並べて２列とした位置関係とすることは、引用文献の【図５】等にも見られるように公知の配置であって、本願補正発明のように個室が３つになったとしても、全体として、【図１】に示されているように、共用スペースとプライベートスペースとを横に並べて２列とした位置関係に配設することは、当業者が容易に思い至る程度のことであり、その構成を採用することによる格別の効果も認められない。
　してみると、当該［相違点１］に係る本願補正発明の構成は、引用発明に基づいて、当業者が容易になし得るものである。
　
［相違点２］について
　住居構造において、無駄なスペースを少なくすることは周知な課題であるところ、通路体を挟んで対向する洗面台と浴室とを配設し、洗面台を使うときに人が立つスペースを、各室から洗面台および浴室への通路、および各室間の通路として用いるよう構成することは、特開平７−１１７８３号公報（【図１】，【０００８】，【００１２】），特開平８−２６０７１８号公報（【図１】）または「ニューハウス出版株式会社，ＨＯＭＥ　ＭＡＫＥ　住まいのベスト間取り540集，ニューハウス出版株式会社，1996年2月29日，p.123下図（洗面室Ａおよび夫人室等参照）」に記載されているように、従来周知の技術事項であり、この周知の技術事項を引用発明の住居構造に採用することに困難性は認められない。さらに、その通路体を、本願補正発明のように、玄関スペースと台所スペースとリビングルームスペースとの配列方向に平行に配設することは当業者が適宜なし得る設計的事項であり、その構成を採用することによる格別の効果も認められない。
　よって、当該［相違点２］に係る本願補正発明の構成は、引用発明の構成として、周知の技術事項を採用したものであり、当業者が容易になし得るものである。
　
［相違点３］について
　住居構造において、間取りを変更可能なように、室間の仕切り体を摺動可能なウォールドア（可動間仕切り）とすることは、実願平５−１３１３９号（実開平６−６７６２１号）のＣＤ−ＲＯＭ、実願平５−２６１６０号（実開平６−７８５２１号）のＣＤ−ＲＯＭまたは実願平４−８１１１４号（実開平６−４４８３０号）のＣＤ−ＲＯＭに記載されているように、従来周知の技術事項であり、この周知の技術事項を引用発明の住居構造に採用して、２つの個室と共用スペース（玄関スペース、リビングルームスペース）の間の仕切り体をウォールドアとすることに困難性は認められない。
　よって、当該［相違点３］に係る本願補正発明の構成は、引用発明の構成として、周知の技術事項を採用したものであり、当業者が容易になし得るものである。
　　
　したがって、［相違点１］ないし［相違点３］に係る本願補正発明の構成は、引用発明に、従来周知の技術事項を適用して、当業者が容易に想到し得たことである。
　
　そして、本願補正発明が奏する効果についてみても、その効果は全体として、引用発明および周知の技術事項からみて当業者が予測しうる範囲のものであって、格別なものとみることはできない。
　
　よって、本願補正発明は、引用発明および周知の技術事項に基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項の規定において準用する同法第１２６条第５項の規定に適合しないものであり、同法第１５９条第１項の規定において読み替えて準用する同法第５３条第１項の規定により却下されるべきものである。
　
　
３．本願発明について
　平成１９年２月７日付けの手続補正は上記のとおり却下されることとなったので、本願の請求項３に係る発明（以下、「本願発明」という。）は、平成１８年８月８日付け手続補正書により補正された明細書の特許請求の範囲の請求項１を引用する請求項３に記載された事項により特定される、以下のとおりのものである。
　
「【請求項１】
　共用スペースとプライベートスペースとを並列位置関係に配設し、
　上記共用スペースは、直列に配置してある玄関スペースと台所スペースとリビングルームスペースとを含み、
　上記プライベートスペースは複数の個室とユーティリティスペースとを含み、
　上記ユーティリティスペースは通路部を挟んで対向する洗面台と浴室とを含むものであって、
　上記各個室から扉を開閉し上記通路部に直接出入り可能である
　ことを特徴とする住居構造。」
「【請求項３】
　請求項１または２のいずれかにおいて、２つの上記個室は、上記共用スペースに隣接し、
　上記２つの個室と共用スペースとは、摺動可能なウォールドアによって仕切られている
　ことを特徴とする住居構造。」　
　
（１）刊行物に記載された発明
　原査定の拒絶の理由に引用され、本願出願前に頒布された刊行物である引用文献、その記載事項および引用発明は、上記「２．（２）」に記載したとおりである。　
　
（２）対比・判断
　本願発明は、上記「２．」で検討した本願補正発明の限定事項である「個室」の数を「３つ」とする限定を省いて「複数」とするとともに、「通路部は、玄関スペースと台所スペースとリビングルームスペースとの配列方向に平行」であるとの構成を省いたものである。
　そうすると、本願発明の構成要件をすべて含み、さらに他の構成要件を付加したものに相当する本願補正発明が、前記「２．（４）」に記載したとおり、引用発明および周知の技術事項に基づいて、当業者が容易に発明をすることができたものであるから、本願発明も同様の理由により、引用発明および周知の技術事項に基づいて、当業者が容易に発明をすることができたものである。　
　
（３）むすび
　以上のとおり、本願発明は、引用発明および周知の技術事項に基づいて、当業者が容易に発明をすることができたものであるから、本願の他の請求項について検討するまでもなく、特許法第２９条第２項の規定により特許を受けることができない。
　
　よって、結論のとおり審決する。